【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
ビデオ通話参加型テレビジョンシステムであって：
インターネットを介した異なる発信者からの複数のビデオ通話を接続するための複数のビデオ通話中央処理ユニットであって、各ビデオ通話中央処理ユニットがビデオ通話専用である、該ビデオ通話中央処理ユニット；
放映される少なくとも１つのビデオ通話を選択するために出演タレント及びプロデューサによって使用される少なくとも１つのタッチ画面表示上のグラフィックユーザインタフェース、又は該出演タレントが放映される少なくとも1つのビデオ通話を選択し、望む場合に、多数の発信者のビデオ及び音声を加えることを可能にする人間工学的に設計された会議用制御装置を含む、発信者取得モジュール；及び
ビデオ配給業者に生で送信するためにビデオ通話信号を準備し、送信するための出力ユニットを含む、前記ビデオ通話参加型テレビジョンシステム。
【請求項２】
前記発信者取得モジュールが、各ビデオ通話中央処理ユニット上で動作する、請求項1記載のビデオ通話参加型テレビジョンシステム。
【請求項３】
前記発信者取得モジュールが、各異なる発信者を表すための音声識別トーンを生成し、該音声識別をオンにする又はオフにする選択肢を有する、請求項1記載のビデオ通話参加型テレビジョンシステム。
【請求項４】
前記発信者取得モジュールが、ビデオ電話通話を行うためにインターネットを使用するボイスオーバーアイピー（VoIP）アプリケーションへの通信路を生成し、該通信路をオンにする又はオフにする選択肢を有する、請求項1記載のビデオ通話参加型テレビジョンシステム。
【請求項５】
前記ビデオ通話中央処理ユニットからのビデオをテレビジョンビデオに変換するための2つ以上のビデオ変換器をさらに含む、請求項1記載のビデオ通話参加型テレビジョンシステム。
【請求項６】
各ビデオ通話中央処理ユニットが、発信者用の文字識別又はビデオ通話文字オーバーレイを生成し、このような文字識別を前記ビデオ通話上に配置して、該ビデオ通話が現在は該ビデオ通話に統合されている文字と共に生のテレビジョンで使用可能なビデオ信号へ変換される、請求項1記載のビデオ通話参加型テレビジョンシステム。
【請求項７】
前記プロデューサが、前記発信者取得モジュールを使用して、前記文字オーバーレイを定位置又は任意の予め設定された位置に設定し、該文字を前記画面のまわりに動かし、該文字を特定の位置に固定し、該文字を隠し、前記発信者の名前、発信者の都市、発信者の話題、及び該発信者の他の情報を該文字オーバーレイに入力し、又は発信者の情報を前記出演タレントの情報画面に送り、かつ「Go」ボタンを押すことによって該発信者が出演を「承認された」ことを示す、請求項6記載のビデオ通話参加型テレビジョンシステム。
【請求項８】
前記多数のビデオ通話中央処理ユニットからの全ての承認された発信者が、前記発信者取得モジュールによって発信者画面上に列挙される、請求項7記載のビデオ通話参加型テレビジョンシステム。
【請求項９】
前記多数のビデオ通話中央処理ユニットからの承認された発信者によって、承認された後に費やされた時間の量が、色分け及び/又は色合いを用いて前記発信者画面上に示され、かつ各発信者には優先度レベルが割り当てられ、前記プロデューサによって決定されたように、発信者の優先度が色分け及び/又は色合いを用いて該発信者画面上に示される、請求項8記載のビデオ通話参加型テレビジョンシステム。
【請求項１０】
前記出演タレントが、望む場合に、多数の発信者のビデオ及び音声を追加することを可能にする人間工学的に設計された会議用制御装置をさらに含む、請求項1記載のビデオ通話参加型テレビジョンシステム。
【請求項１１】
前記人間工学的に設計された会議用制御装置が、その上に配置した前記出演タレントの掌を忠実に描写している成型された掌を含み、前記出演タレントが選択を行い且つテレビジョンカメラを見ている間、エラーを最小限にするために前記出演タレントの手及び指を適切に配置するのを支援し、
任意に、該出演タレントがビデオ選択を一連の所定のビデオ組み合わせにおける次のものにジャンプすることを可能にし、
該出演タレントが該ビデオ選択を該出演タレントと一連の所定のビデオ組み合わせにおける少なくとも1人の発信者との次の組み合わせにジャンプすることを可能にし、
該出演タレントが自身を該ビデオ組み合わせの所定のシーケンスから取り除き、該シーケンスにおいて発信者のみを残すことを可能にし、又は
該出演タレントが1人の発信者を該画面及び該所定のシーケンスにおける後続のビデオ組み合わせ上の優位な（メインゲスト）位置に、位置させることを可能にする、請求項10記載のビデオ通話参加型テレビジョンシステム。
【請求項１２】
前記発信者取得モジュールが、多数のトーンを介して前記出演タレントへの音声通信を生成し、前記人間工学的に設計された会議用制御装置を通じて届けられたコマンドのステータスを示す、請求項10記載のビデオ通話参加型テレビジョンシステム。
【請求項１３】
前記人間工学的に設計された会議用制御装置が、前記出演タレントがオープニング、エンディング及びコマーシャルによる中断などの複数の基本番組要素を放映することを可能にし、
該出演タレントがビデオ録画又はビデオスチルを放映することを可能にし、
該出演タレントがビデオ組み合わせの所定のシーケンスを一時停止することを可能にし、又は
該出演タレントが発信番組を録画することを可能にする、請求項10記載のビデオ通話参加型テレビジョンシステム。
【請求項１４】
所定のシーケンスに従って次に予定されるビデオ画像用の、又は所定のシーケンスに従って前記出演タレントが次のカメラ出演のためにどこを見るかを矢印で示す現在のビデオ画像用の、各テレビジョンカメラに隣接する「警告タリー」光をさらに含む、請求項1記載のビデオ通話参加型テレビジョンシステム。
【請求項１５】
前記「警告タリー」光が、前記人間工学的に設計された会議用制御装置を介する前記出演タレントによる前記所定のシーケンスに対する変更に従って、動的に調整される、請求項14記載のビデオ通話参加型テレビジョンシステム。
【請求項１６】
前記ビデオ通話中央処理ユニットが、前記VoIPアプリケーションの自動的な音声ゲイン制御をアクティブに保つ目的のために発信者への戻し音声フィードの一部として、ほとんどの人間の聴覚範囲外の変動周波数の音声トーン（スイープトーン）を生成する、請求項4記載のビデオ通話参加型テレビジョンシステム。
【請求項１７】
前記ビデオ通話中央処理ユニットから利用可能な多数の発信者からの発信者のビデオ及び音声の選択において、前記出演タレントを支援するホスト自動化モジュールをさらに含む、請求項1記載のビデオ通話参加型テレビジョンシステム。
【請求項１８】
前記発信者が、前記プロデューサによって出演を予め承認されている、請求項17記載のビデオ通話参加型テレビジョンシステム。
【請求項１９】
前記ホスト自動化モジュールが、前記多数のビデオ通話中央処理ユニットから利用可能なビデオ選択肢と出演タレントのカメラ選択肢との組み合わせに基づいて、次のビデオショット又はショットの組み合わせを自動的に決定し、信号を前記出演タレントに送って、次に放映されるビデオソース又はビデオソースの組み合わせを示し、その後該ビデオソース又は組み合わせがビデオスイッチャーによって放映され、
任意に、該ホスト自動化モジュールによって該出演タレントに送られた該信号が、光信号、文字メッセージ、又は画面上のアイコンメッセージを含む、請求項17記載のビデオ通話参加型テレビジョンシステム。
【請求項２０】
前記ホスト自動化モジュールが、
前記プロデューサによって準備された、ショットシーケンス及びシンプルテキストランゲージで記述されたタイミングを含むショットランダウンルーチンに基づく、前記多数のビデオ通話中央処理ユニットから利用可能なビデオ選択肢の組み合わせに基づいて、次のビデオショット又はショットの組み合わせを自動的に決定するか、
リアルタイムで前記出演タレントによって選択された変更に基づいて、現在のシーケンスを動的にオーバーライドし、該多数のビデオ通話中央処理ユニットからその時点でそれに利用可能な該ビデオ選択肢に基づいて該次のビデオショット又はショットの組み合わせを決定するか、又は、
ステータスコマンドの複数のトーンによって該出演タレントに信号を送る、請求項17記載のビデオ通話参加型テレビジョンシステム。
【請求項２１】
前記出演タレントが、前記ビデオ通話中央処理ユニット若しくは前記ホスト自動化モジュールとは別の場所にいるか、又は
前記プロデューサが、前記ビデオ通話中央処理ユニット若しくは前記ホスト自動化モジュールとは別の場所にいる、請求項1記載のビデオ通話参加型テレビジョンシステム。